(57)【要約】【課題】比較的薄い格納物品でも、なるべく大きな受光面積を持つ光発電素子を設けて、その受光面で外部からの光を受光することができるようにすることを目的とする。【解決手段】並列状に格納される板状の格納物品に取付けられるタグ装置４０であって、外部からの信号を受信する受信部と、受信部で受信された信号に基づいて管理動作を実行するタグ制御部と、平面状に拡がる受光面５０ａを有し、前記タグ制御部に電力を供給する光発電素子５０とを備え、光発電素子５０は、受光面５０ａを、板状の格納物品に対して斜め姿勢でかつ格納物品が格納部に格納された状態で外方に向けた姿勢で、格納物品に取付けられている。【選択図】図５
2009012885.tif 000002
【特許請求の範囲】
【請求項１】
並列状に格納される板状の格納物品に取付けられるタグ装置であって、
外部からの信号を受信する受信部と、
前記受信部で受信された信号に基づいて管理動作を実行するタグ制御部と、
平面状に拡がる受光面を有し、前記受光面で受光した光により発電して前記タグ制御部に電力を供給する光発電素子と、
を備え、
前記光発電素子は、前記受光面を、前記板状の格納物品に対して斜め姿勢でかつ前記格納物品が記格納部に格納された状態で外方に向けた姿勢で、前記格納物品に取付可能なタグ装置。
【請求項２】
請求項１記載のタグ装置であって、
前記光発電素子の受光面に対して反対側に光反射面を呈する光反射部材をさらに備えたタグ装置。
【請求項３】
請求項１又は請求項２記載のタグ装置であって、
前記タグ制御部は、前記受信部で受信された信号に含まれる呼出用の識別符号が、予め記憶された固有の識別符号と一致するか否かを判定し、一致と判断された場合に、一致した旨を、報知部を通じて外部に報知する動作を実行する、タグ装置。
【請求項４】
並列状に格納される格納物品装置であって、
板状の格納物品と、
外部からの信号を受信する受信部と、
前記受信部で受信された信号に基づいて管理動作を実行するタグ制御部と、
平面状に拡がる受光面を有し、その受光面を、前記板状の格納物品に対して斜め姿勢でかつ前記格納物品が記格納部に格納された状態で外方に向けた姿勢で前記格納物品に取付けられ、前記受光面で受光した光により発電して前記タグ制御部に電力を供給する光発電素子と、
を備えた格納物品装置。
【発明の詳細な説明】
【技術分野】
【０００１】
この発明は、多数の物品を格納棚等の格納部に格納し管理する物品管理システム用のタグ装置に関する。
【背景技術】
【０００２】
従来、この種のタグ装置として、例えば、特許文献１に開示のものがある。
【０００３】
特許文献１は、ファイルの背表紙に取付けられるタグ装置に、充電用光電素子を取付けた技術が開示されている。この充電用光電素子は、例えば、その受光面を前記背表紙に沿って配設した外向き姿勢で、前記ファイルに取付けられる。
【０００４】
【特許文献１】特開２００１−４８３１７号公報
【発明の開示】
【発明が解決しようとする課題】
【０００５】
ところで、格納物品として、ＣＤ（Compact Disc）ケースやＤＶＤ（Digital Versatile Disc）ケース等を想定した場合、格納部から外方に露出する背面部分は非常に細い。このため、特許文献１に開示の技術では、大きな面積を持つ充電用光電素子を設けることは困難である。
【０００６】
そこで、本発明は、比較的薄い格納物品でも、なるべく大きな受光面積を持つ光発電素子を設けて、その受光面で外部からの光を受光することができるようにすることを目的とする。
【課題を解決するための手段】
【０００７】
上記課題を解決するため、第１の態様に係るタグ装置は、並列状に格納される板状の格納物品に取付けられるタグ装置であって、外部からの信号を受信する受信部と、前記受信部で受信された信号に基づいて管理動作を実行するタグ制御部と、平面状に拡がる受光面を有し、前記受光面で受光した光により発電して前記タグ制御部に電力を供給する光発電素子とを備え、前記光発電素子は、前記受光面を、前記板状の格納物品に対して斜め姿勢でかつ前記格納物品が記格納部に格納された状態で外方に向けた姿勢で、前記格納物品に取付可能とされたものである。
【０００８】
第２の態様に係るタグ装置は、前記光発電素子の受光面に対して反対側に光反射面を呈する光反射部材をさらに備えたものである。
【０００９】
第３の態様に係るタグ装置は、第１の態様又は第２の態様に係るタグ装置であって、前記タグ制御部は、前記受信部で受信された信号に含まれる呼出用の識別符号が、予め記憶された固有の識別符号と一致するか否かを判定し、一致と判断された場合に、一致した旨を、報知部を通じて外部に報知する動作を実行するものである。
【００１０】
上記課題を解決するため、第４の態様に係る格納物品装置は、並列状に格納される格納物品装置であって、板状の格納物品と、外部からの信号を受信する受信部と、前記受信部で受信された信号に基づいて管理動作を実行するタグ制御部と、平面状に拡がる受光面を有し、その受光面を、前記板状の格納物品に対して斜め姿勢でかつ前記格納物品が記格納部に格納された状態で外方に向けた姿勢で前記格納物品に取付けられ、前記受光面で受光した光により発電して前記タグ制御部に電力を供給する光発電素子と、を備えたものである。
【発明の効果】
【００１１】
この第１の態様に係るタグ装置によると、前記光発電素子の受光面は、前記板状の格納物品に対して斜め姿勢であるため、格納物品の背面部分の大きさにあまり制約されず、なるべき大きな受光面積をもつ光発電素子を設けることができる。また、前記光発電素子の受光面は、当該斜め姿勢でかつ前記格納物品が記格納部に格納された状態で外方に向けた姿勢であるため、複数の格納物品を並列状に格納した状態でも、外部からの光を受光面で受光できる。
【００１２】
第２の態様に係るタグ装置によると、格納物品の光反射面で反射された反射光が、隣の格納物品の光発電素子の受光面に入射し、より大きな発電量を期待できる。
【００１３】
さらに、第３の態様に係るタグ装置によると、呼出用の識別符号が一致したタグ装置から、一致した旨報知されるため、そのタグ装置を認識できる。
【００１４】
この第４の態様に係る格納物品装置によると、前記光発電素子の受光面は、前記板状の格納物品に対して斜め姿勢であるため、格納物品の背面部分の大きさにあまり制約されず、なるべき大きな受光面積をもる光発電素子を設けることができる。また、前記光発電素子の受光面は、当該斜め姿勢でかつ前記格納物品が記格納部に格納された状態で外方に向けた姿勢であるため、複数の格納物品を並列状に格納した状態でも、外部からの光を受光面で受光できる。
【発明を実施するための最良の形態】
【００１５】
以下、実施形態に係るタグ装置及び格納物品装置について説明する。
【００１６】
まず、本タグ装置及び格納物品装置が適用される物品管理システムについて説明する。図１は物品管理システムの全体構成を示す図である。
【００１７】
この物品管理システムは、格納部としての格納棚１０と、格納棚１０に並列状に格納される格納物品装置３０と、呼出装置としての携帯用呼出装置２０とを備えている。
【００１８】
格納棚１０は、複数の棚段１２を有しており、各棚段１２に格納物品装置３０が並列状に格納される。格納棚１０の棚段１２は、１段であってもよく、また、任意の複数段であってもよい。また、格納棚１０が複数設けられていてもよい。
【００１９】
格納物品装置３０は、２つの主面を有する板状、より具体的には、略方形板状に形成されている。そして、複数の格納物品装置３０が、その主面同士をほぼ完全に重なり合うように隣設させた並列状で、各棚段１２に格納可能とされている。このような格納物品装置３０としては、例えば、ＣＤケースやＤＶＤケース等のディスクケース、用紙を保持するファイルやフォルダ、書籍等を用いた例が想定される。また、この格納物品装置３０には、タグ装置４０が組込まれている。この格納物品装置３０については、ディスクケースを適用した例で、後に詳述する。
【００２０】
図２は携帯用呼出装置２０を示す図である。携帯用呼出装置２０は、呼出制御部２２，入力部２４，表示部２６、送信部２８ａ、受信部２８ｂとを備えており、これらは可搬性あるケースに組込まれている。
【００２１】
入力部２４は、テンキー等によって構成されており、呼出用の識別符号や呼出指令等を入力可能とされる。表示部２６は、液晶表示器等によって構成されており、入力された識別符号等の情報を表示可能に構成されている。送信部２８ａは、赤外線ＬＥＤ等によって構成されており、呼出制御部２２からの電気信号を赤外光信号として送信する。また、受信部２８ｂは、フォートダイオード等によって構成されており、受光された赤外光信号を電気信号に変換してこれを呼出制御部２２に与える。
【００２２】
この携帯用呼出装置２０による動作には、各格納物品装置３０に取付けられたタグ装置４０に対する下記呼出動作が含まれる。
【００２３】
すなわち、上記入力部２４を通じて呼出用の識別符号が入力されると、当該呼出用の識別符号を一時的に記憶する。この状態で、入力部２４を通じて呼出指令が入力されると、当該記憶された識別符号を含む信号を送信部２８ａにより赤外光信号として送信するように構成されている。
【００２４】
なお、携帯用呼出装置２０から識別符号を含む赤外光信号が送信されると、当該識別符号を割当てられたタグ装置４０が後述する報知動作を実行する。これにより、本システムの利用者は、当該報知動作を手がかりとして、所望の格納物品装置３０の所在位置を知り、当該所望の格納物品装置３０を取出せるようになる。
【００２５】
格納物品装置３０についてより詳細に説明する。図３は格納物品装置３０を示す正面図であり、図４は格納物品装置３０を示す背面図である。
【００２６】
格納物品装置３０は、格納物品３２と、タグ装置４０とを備えている。
【００２７】
格納物品３２の外形状は、格納物品装置３０の外形状と略同一であり、板状に形成されて並列状に格納可能とされている。
【００２８】
より具体的には、格納物品３２は、ＣＤケース又はＤＶＤケースとして用いられるディスクケースである。この格納物品３２は、樹脂等（ここでは透明樹脂）で形成されており、ディスク収納部３４と、背部３６とを有している。ディスク収納部３４の内部には、ＣＤ又はＤＶＤ等のディスクを収納する収納空間部３４ａが形成されている。背部３６は、格納物品３２を格納棚１０に格納した状態で、開口側（外方側）に配設される部分であり、またここでは、ディスク収納部３４を開閉する際のヒンジとなる部分である。また、この背部３６は、中空でかつ扁平な略直方体筺状に形成されており、この内部にタグ装置４０の光発電素子５０等が収容される。
【００２９】
図５（ａ）はタグ装置４０の要部を示す平面図であり、図５（ｂ）はタグ装置４０の要部を示す側面図であり、図５（ｃ）はタグ装置４０の要部を示す底面図である。
【００３０】
タグ装置４０は、所定の回路が形成された基板４２に、送信部４４ａ及び受信部４４ｂと、タグ制御部として機能するタグ制御用ＩＣ４６と、報知部としての発光素子４８とが実装固定されると共に、当該基板４２に光発電素子５０と、充電素子５２とが取付固定された構成とされている。
【００３１】
基板４２は、一般的なプリント配線基板等によって構成されており、細長い板状に形成されている。この基板４２の一端部よりの部分にタグ制御用ＩＣ４６が実装固定されると共に、その一端縁部に送信部４４ａ及び受信部４４ｂが外方に対して光の送信又は受信を可能な姿勢で実装固定されている。また、基板４２の一側部に外部から視認可能な態様で発光素子４８（ここでは２つの発光素子４８）が実装固定されている。
【００３２】
また、基板４２の一側部の長手方向略中間部には、凹状に切り欠かれた切欠部４２ａが形成されており、当該切欠部４２ａに光発電素子５０が取付固定されている。光発電素子５０は、平面状に拡がる受光面５０ａを有し、当該受光面５０ａで光を受光して起電力を生じる素子であり、一般的な太陽電池等によって構成されている。ここでは、光発電素子５０は、細長板状に形成されており、その一主面に細長方形状の受光面５０ａを有している。そして、光発電素子５０の一側部を上記基板４２の切欠部４２ａ内に配設すると共に、光発電素子５０の他側部を基板４２の切欠部４２ａ外に延びるようにして、受光面５０ａを基板４２に対して斜めにした姿勢で、光発電素子５０が基板４２に対して取付固定されている。
【００３３】
また、基板４２の他端部に円孔４２ｈが形成されており、この円孔４２ｈ内に充電素子５２が配設されている。充電素子５２としては、静電容量によって電気エネルギーを蓄えるキャパシタや、電気化学反応によって電気エネルギーを蓄える二次電池等、上記光発電素子５０からの電力供給を受けて電気エネルギーとして蓄え得る素子が用いられる。
【００３４】
このタグ装置４０の基板４２は、それに実装固定又は取付固定された部品と共に、背部３６内に収容固定される。基板４２は、背部３６内で格納物品３２（主面の方向）に対して略平行姿勢で固定される。これにより、光発電素子５０は、その受光面５０ａを格納物品３２に対して斜め（板状の格納物品３２の主面に対して斜め）にした姿勢で、かつ、格納物品３２が格納された状態で受光面５０ａを外方に向けた姿勢で、格納物品３２に取付けられる（図８参照）。つまり、受光面５０ａは、格納物品３２を並列状に格納した状態で、外方から一方主面側に傾いた方向を向いている。
【００３５】
また、このタグ装置４０は、光反射部材５６を備えている。光反射部材５６は、光発電素子５０の受光面５０ａに対して反対側に光反射面を呈するように取付けられる。ここでは、背部３６のうち他方主面側で光反射面を呈する（図５（ｃ）参照）。換言すれば、上記光発電素子５０の受光面５０ａが、背部３６の外方及びその一方主面側からの光を受光可能に取付けられている場合において、光反射部材５６は、その反対側の面である背部３６の他方主面側で反射面を呈するようになっている。そして、複数の格納物品装置３０が並列状に配置された状態で、所定の格納物品装置３０の受光面５０ａに対して、隣の格納物品装置３０の光反射部材５６の光反射面が対向して配設されるようになっている。
【００３６】
図６は、タグ装置４０の電気的構成を示すブロック図である。同図に示すように、このタグ装置４０は、光発電素子５０と、充電素子５２と、逆電流防止用のダイオード６０と、電源制御部６２と、スイッチング素子６４と、アンプ６６と、タグ制御用ＩＣ４６と、送信部４４ａ及び受信部４４ｂと、報知部としての発光素子４８とを備えている。なお、図６で示す電気的要素のうち図５で図示されない電気的要素は、実際には基板４２に実装されており、これについては図５では省略している。
【００３７】
光発電素子５０は、上記のように光を受光して発電する素子であり、この発電起電力により生じた電圧が、逆電流防止用のダイオード６０を介して充電素子５２やタグ制御用ＩＣ４６等に印加され、これにより、充電素子５２が充電され、また、タグ制御用ＩＣ４６が動作するようになっている。つまり、このタグ装置４０では、光発電素子５０又は充電素子５２からの電力供給を受けて電源制御部６２やタグ制御用ＩＣ４６等が動作する。充電素子５２に蓄えられた電気エネルギーは光発電素子５０から与えられた電気エネルギーなので、光発電素子５０は、タグ制御用ＩＣ４６等に対して直接的又は間接的に電力を供給している。
【００３８】
電源制御部６２は、充電素子５２の電圧検出機能等を有しており、充電素子５２及び光発電素子５０からの電圧を検出して、その電圧がタグ制御用ＩＣ４６等を動作させるのに十分な一定電圧以上であるときに、電源オン信号を出力してスイッチング素子６４をオンにする。これにより、光発電素子５０の供給電圧又は充電素子５２の放電電圧がタグ制御用ＩＣ４６に加えられ、そのタグ制御用ＩＣ４６が後述する動作を実行するようになる。
【００３９】
受信部４４ｂは、外部からの信号としての赤外光信号を受光してこれを電気信号に変換する光電素子であり、この受信部４４ｂから出力された電気信号は、アンプ６６に入力されて増幅された後、タグ制御用ＩＣ４６に入力される。
【００４０】
タグ制御用ＩＣ４６は、ＣＰＵ４６ａ、ＲＯＭ及びＲＡＭ等の記憶部４６ｄ、並びに入力部４６ｂ、出力部４６ｃを備える一般的なマイクロコンピュータである。このタグ制御用ＩＣ４６は、予め格納されたソフトウェアプログラムによって、受信部４４ｂで受信された信号に基づいて管理動作（後述する）を含む所定の動作を行う。なお、記憶部４６ｄは、タグ制御部としてのタグ制御用ＩＣ４６に内蔵された構成であっても、別途設けられた構成であってもよい。
【００４１】
送信部４４ａは、赤外線発光ダイオード等によって構成されており、タグ制御用ＩＣ４６に接続されている。そして、当該タグ制御用ＩＣ４６から出力された電気信号を光信号に変換して、外部、例えば、携帯用呼出装置２０に向けて送信するようになっている。
【００４２】
また、報知部としての発光素子４８は、可視光発光ダイオード等によって構成されており、タグ制御用ＩＣ４６に接続されている。そして、当該タグ制御用ＩＣ４６から出力された電気信号に応じて所定の発光パターンで発光するようになっている。ここでは、２つの発光素子４８を備えている。
【００４３】
このタグ装置４０の管理動作について説明する。図７は本タグ装置４０の管理動作を示すフローチャートである。
【００４４】
まず、このタグ装置４０の記憶部４６ｄにおける不揮発領域には、固有の識別符号が記憶されている。記憶部４６ｄに対する固有の識別符号の書込は、製造当初に専用の書込装置を用いて行われるものであってもよいし、又は、製造後に、光通信装置を持つ書込装置によって、送信部４４ａ及び受信部４４ｂ、または、別個設けられた書込み用の端子等を通じて書込まれるものであってもよい。要するに、格納物品装置３０が格納される段階で、固有の識別符号が記憶されていればよい。
【００４５】
また、本タグ装置４０は、ある程度の光を受光できて充電素子５２に動作上支障ない程度に十分に充電される環境下にあるものとする。
【００４６】
そして、動作開始後、ステップＳ１において、入力信号の有無が判断される。ここで、受信部４４ｂからの入力信号が無いと判別された場合には、ステップＳ１を繰返す。一方、携帯用呼出装置２０から所定の識別符号を含む光信号が送信されると、この光信号が受信部４４ｂで受信され、アンプ６６で増幅されてタグ制御用ＩＣ４６に入力される。これにより、入力信号有りと判断され、ステップＳ２に進む。
【００４７】
ステップＳ２では、当該入力信号に含まれる呼出用の識別符号が、予め記憶された自己の固有の識別符号と一致するか否かが判定される。一致していないと判断された場合には、ステップＳ１に戻る。一方、一致していると判断された場合には、ステップＳ３に進む。
【００４８】
ステップＳ３では自己の所在位置を外部に報知する報知動作を実行する。ここでは、報知動作として、出力部４６ｃを通じて報知用の発光素子４８に電流を流して、当該発光素子４８を所定の発光パターンで発光させる。この後、ステップＳ１に戻る。
【００４９】
ところで、このタグ装置４０は、光発電素子５０からの電力供給を受けて動作する。このため、光発電素子５０が如何に効率よく外部光を受光できるかが重要となる。そこで、この光発電素子５０が外部光を受光する動作について説明する。図８は、格納物品装置３０が並列状に格納された状態で、光発電素子５０が外部光を受光する状態を示す図である。
【００５０】
すなわち、複数の格納物品装置３０が並列状に格納された状態では、複数の背部３６も並列状に配置される。この状態では、光発電素子５０の受光面５０ａは、その並列方向Ａに沿う方向に対して傾斜しつつ、外方に向いている。従って、並列方向Ａに略直交する外方向からの光Ｌａや、当該方向から受光面５０ａの法線方向側に傾斜する方向からの光Ｌｂは、受光面５０ａに入射し、発電に寄与することができる。
【００５１】
また、並列方向Ａに略直交する方向から受光面５０ａの法線方向とは反対側に傾斜する方向からの光Ｌｃについては、直接受光面５０ａに入射し難い。しかしながら、このような光Ｌｃは、隣の格納物品装置３０に設けられた光反射部材５６で反射し、受光面５０ａに入射するので、発電に寄与することができる。
【００５２】
この物品管理システムにおける格納物品装置３０の取出作業について説明する。
【００５３】
図９は格納物品装置３０の取出作業手順を示すフローチャートである。
【００５４】
なお、初期状態において、各格納物品装置３０のタグ装置４０には固有の識別符号が記憶されており、各格納物品装置３０が並列状態で格納されている。
【００５５】
この状態で、ステップＳ１１において、利用者は、取出そうとする格納物品装置３０に対応する識別符号を携帯用呼出装置２０に入力する。
【００５６】
ここで、識別符号が無意味な符号であれば、取出そうとする格納物品装置３０の識別符号を入力するのは困難である。そこで、格納物品装置３０の名称と識別符号とを対応づけたデータを、別のパソコン等に登録して管理しておいてもよい。そして、当該パソコンを参照して取出そうとする格納物品装置３０に対応する識別符号を知ることができるようにしてもよい。もちろん、このような機能は携帯用呼出装置２０に実装されていてもよい。また、当該パソコンと携帯用呼出装置２０とを通信可能に構成し、パソコンを参照して特定された識別符号を、直接的に携帯用呼出装置２０に指定できるようにしてもよい。
【００５７】
ステップＳ１２では、利用者が携帯用呼出装置２０を格納棚１０の手前に構えて呼出指令を入力する。すると、携帯用呼出装置２０から格納棚１０内の各タグ装置４０に向けて呼出用の識別符号を含む信号が送信される。
【００５８】
すると、ステップＳ１３において、各タグ装置４０の中から、前記呼出用の識別符号と一致する固有の識別符号が割当てられたタグ装置４０が発光する。
【００５９】
ステップＳ１４では、タグ装置４０の発光により、当該固有の識別符号が割当てられた所望の格納物品装置３０の格納位置が容易に特定できるので、その発光したタグ装置４０が取付けられた物品を取出す。このようにして、取出し作業が終了する。
【００６０】
以上のように構成されたタグ装置４０及び格納物品装置３０によると、光発電素子５０の受光面５０ａは、板状の格納物品３２に対して斜め姿勢であるため、格納物品３２の背部３６等の大きさ（特に幅）にあまり制約されないで、なるべく大きな受光面５０ａを持つ光発電素子５０を設けることができる。また、光発電素子５０の受光面５０ａは、上記斜め姿勢で、かつ、格納物品３２が格納された状態で外方に向いた姿勢であるため、複数の格納物品３２を並列状に格納した状態でも、外部からの光を有効に受光できる。
【００６１】
また、光発電素子５０の受光面５０ａに対して反対側に光反射面を呈する光発電素子５０を有しているため、格納物品３２が並列配置された状態で、所定の格納物品３２の光反射面で反射された反射光が、隣の格納物品３２の光発電素子５０の受光面５０ａに入射し、より大きな発電量を期待できる。また、このような光反射部材５６は、受光面５０ａに対して反対側に存在するので、特に、格納物品装置３０が単独で存在する場合に、外部光が受光面５０ａに入射することを妨げにくい。
【００６２】
また、タグ装置４０は、呼出用の識別符号が一致した場合に、当該一致した旨が報知されるため、当該報知を手がかりとして所望の格納物品３２の位置を特定して、容易に取出し作業することができる。
【００６３】
｛変形例｝
なお、本実施形態では、タグ装置４０は、外部からの信号として、光信号を受信する例で説明したが、電波信号等の無線信号を受信するものであってもよい。
【００６４】
また、本実施形態では、タグ装置４０は、格納物品３２の背部３６に一体的に組込まれた例で説明したが、タグ装置４０は、格納物品３２に後付可能な構成、或は、取付後に分離可能な構成であってもよい。
【００６５】
タグ装置４０を格納物品３２に内蔵する場合、少なくともタグ装置４０の光発電素子５０や基板４２等を保護するため、これらを格納物品３２のケース状部分（上記実施形態では背部３６）内に収納するとよい。この場合、格納物品３２のケース状部分のうち少なくとも光発電素子５０の受光面５０ａに対応する部分が透明又は半透明とされていればよい。つまり、上記実施形態では、ディスク収納部３４の一部又は全部が不透明であってもよい。更に、タグ装置４０を内蔵する格納物品は、用紙を保持するファイルやフォルダの一部として形成してもよいし、別体に形成したファイルやフォルダに取付可能に構成することもできる。
【００６６】
また、本実施形態では、報知動作として発光素子４８による発光を行わせたが、その他、液晶表示や音等による報知を用いてもよい。
【００６７】
また、本実施形態では、携帯用呼出装置２０から呼出用の識別符号を含む光信号を送信しているが、呼出用の識別符号を含む光信号を送信する装置は上記例に限られない。例えば、格納棚１０又は棚段１２毎に呼出用の識別符号を含む光信号を送信可能な送受信装置を設置し、当該送受信装置を介して識別符号を含む光信号を各タグ装置４０に向けて送信するようにしてもよい。更に、格納棚１０又は棚段１２毎に取付ける送受信装置に携帯用呼出装置２０と通信できる手段を設け、携帯用呼出装置２０と各タグ装置４０とが間接的に送受信するようにしてもよい。
【図面の簡単な説明】
【００６８】
【図１】実施形態に係る物品管理システムの全体構成を示す図である。
【図２】携帯用呼出装置を示す図である。
【図３】格納物品装置を示す正面図である。
【図４】格納物品装置を示す背面図である。
【図５】図５（ａ）はタグ装置の要部を示す平面図であり、図５（ｂ）はタグ装置の要部を示す側面図であり、図５（ｃ）はタグ装置の要部を示す底面図である。
【図６】タグ装置の電気的構成を示すブロック図である。
【図７】タグ装置の管理動作を示すフローチャートである。
【図８】格納物品装置の光発電素子が外部光を受光する状態を示す図である。
【図９】格納物品装置の取出作業手順を示すフローチャートである。
【符号の説明】
【００６９】
１０  格納棚
２０  携帯用呼出装置
３０  格納物品装置
３２  格納物品
３６  背部
４０  タグ装置
４４ａ  送信部
４４ｂ  受信部
４６  タグ制御用ＩＣ
４６ｄ  記憶部
４８  発光素子
５０  光発電素子
５０ａ  受光面
５６  光反射部材
【図１】
2009012885.tif 000003
【図２】
2009012885.tif 000004
【図３】
2009012885.tif 000005
【図４】
2009012885.tif 000006
【図５】
2009012885.tif 000007
【図６】
2009012885.tif 000008
【図７】
2009012885.tif 000009
【図８】
2009012885.tif 000010
【図９】
2009012885.tif 000011